(57)【要約】【課題】本発明は、コイル状に束ねられて収納されたケーブルの引き出しを円滑に行うことができるケーブル梱包箱を提供することを目的とするものである。【解決手段】本発明は、箱の側面の４つの開閉片に突起及び差込溝を設け前面に前穴を空けた箱体と、前記箱体の前面裏側に当てる板であり前穴と同じ位置に内穴を空けた内板と、前記箱体の中心に先端が向くように前記内板の内穴に通す筒で後端にフランジを設けたパルプモールド材と、前記パルプモールド材が通る孔を側面に確保した上でコイル状に束ね前記箱体の開閉片を閉じて突起と差込溝を噛み合わせて中央に形成した突出部に嵌るように収納したケーブルとからなり、ケーブル束の内周側始端をパルプモールド材を介して箱体の外に引き出すことを特徴とするケーブル梱包箱の構成とした。【選択図】図１４
2013071802.tif 000002
【特許請求の範囲】
【請求項１】
箱の側面の４つの開閉片に突起及び差込溝を設け前面に前穴を空けた箱体と、前記箱体の前面裏側に当てる板で前穴と同じ位置に内穴を空けた内板と、前記箱体の中心に先端が向くように前記内板の内穴に通す筒であり後端にフランジを設けたパルプモールド材と、前記パルプモールド材が通る孔を側面に確保した上でコイル状に束ね前記箱体の開閉片を閉じて突起と差込溝を噛み合わせて中央に形成した突出部に嵌るように収納したケーブルとからなり、ケーブル束の内周側始端をパルプモールド材を介して箱体の外に引き出すことを特徴とするケーブル梱包箱。
【請求項２】
前面側の突起を切り欠いて突出部とパルプモールド材の間にスペースを確保したことを特徴とする請求項１に記載のケーブル梱包箱。
【請求項３】
内板にケーブル束の内周側始端を固定する通し穴を設けたことを特徴とする請求項１又は２に記載のケーブル梱包箱。
【請求項４】
開閉片にケーブル束の外周側終端を固定する通し穴を設けたことを特徴とする請求項１乃至３のいずれか１項に記載のケーブル梱包箱。
【発明の詳細な説明】
【技術分野】
【０００１】
本発明は、コイル状に束ねられて収納されたケーブルを円滑に引き出すことができるケーブル梱包箱に関するものである。
【背景技術】
【０００２】
ＬＡＮ等の各種ケーブルは、コイル状に束ねた状態でダンボール等の梱包箱に収納して提供することが多く、ケーブル敷設時に梱包箱からケーブルを円滑に引き出せることが要求される。
【０００３】
特許文献１に記載されているように、ケーブルの引き出しを円滑に行え、かつ、よりコンパクトなケーブルガイドチューブを備えたケーブル梱包箱の発明も公開されている。
【先行技術文献】
【特許文献】
【０００４】
【特許文献１】特許第３９８６０６７号公報
【発明の概要】
【発明が解決しようとする課題】
【０００５】
しかしながら、特許文献１に記載の発明は、箱の中にコイル状のケーブルが入っているだけであり、ケーブルを引き出していき束が少なくなると、位置や配置が崩れ、場合によってはケーブルが絡まる可能性がある。
【０００６】
そこで、本発明は、使い始めからケーブルが無くなるまで、コイル状に束ねられて収納されたケーブルの引き出しを円滑に行うことができるケーブル梱包箱を提供することを目的とするものである。
【課題を解決するための手段】
【０００７】
本発明は、上記の課題を解決するために、箱の側面の４つの開閉片に突起及び差込溝を設け前面に前穴を空けた箱体と、前記箱体の前面裏側に当てる板であり前穴と同じ位置に内穴を空けた内板と、前記箱体の中心に先端が向くように前記内板の内穴に通す筒であり後端にフランジを設けたパルプモールド材と、前記パルプモールド材が通る孔を側面に確保した上でコイル状に束ね前記箱体の開閉片を閉じて突起と差込溝を噛み合わせて中央に形成した突出部に嵌るように収納したケーブルとからなり、ケーブル束の内周側始端をパルプモールド材を介して箱体の外に引き出すことを特徴とするケーブル梱包箱の構成とした。
【発明の効果】
【０００８】
本発明は、箱の前面に空けた穴から箱内のケーブルを箱外に引き出す際に、穴から内側に向かって取り付けたパルプモールド材を介すことにより、コイル状のケーブルの内側からケーブルを絡めることなく円滑に引き出すことができる。
【０００９】
箱の側面（左側又は右側）の４つの開閉片を閉じた際に、各開閉片に設けた突起が噛み合って箱の中央で内側に突出し、コイル状のケーブルの中心に収まることで、ケーブルの位置及び配置を保持することができる。
【００１０】
また、パルプモールド材がコイル状のケーブルの側面を貫通して配置されることから、パルプモールド材を設けた側の突起に切欠きを設けることで、ケーブル引出しの支障となることを防ぐことができる。
【図面の簡単な説明】
【００１１】
【図１】本発明であるケーブル梱包箱の斜視図である。
【図２】本発明であるケーブル梱包箱の正面図である。
【図３】本発明であるケーブル梱包箱の側面図である。
【図４】本発明であるケーブル梱包箱における外開閉片を開いた状態を示す平面図である。
【図５】本発明であるケーブル梱包箱における内開閉片を開いた状態を示す平面図である。
【図６】本発明であるケーブル梱包箱におけるケーブルを出した状態を示す平面図である。
【図７】本発明であるケーブル梱包箱の箱体における内開閉片を閉じた状態を示す斜視図である。
【図８】本発明であるケーブル梱包箱の箱体における外開閉片を閉じた状態を示す斜視図である。
【図９】本発明であるケーブル梱包箱に収納するケーブルの斜視図である。
【図１０】本発明であるケーブル梱包箱の内板の斜視図である。
【図１１】本発明であるケーブル梱包箱の内板の正面図である。
【図１２】本発明であるケーブル梱包箱のパルプモールド材の斜視図である。
【図１３】本発明であるケーブル梱包箱におけるケーブルを引き出す状況を示す断面図である。
【図１４】本発明であるケーブル梱包箱におけるケーブルを引き出した状態を示す斜視図である。
【発明を実施するための形態】
【００１２】
ケーブル梱包箱は、箱の側面の４つの開閉片に突起及び差込溝を設け前面に前穴を空けた箱体と、前記箱体の前面裏側に当てる板であり前穴と同じ位置に内穴を空けた内板と、前記箱体の中心に先端が向くように前記内板の内穴に通す筒であり後端にフランジを設けたパルプモールド材と、前記パルプモールド材が通る孔を側面に確保した上でコイル状に束ね前記箱体の開閉片を閉じて突起と差込溝を噛み合わせて中央に形成した突出部に嵌るように収納したケーブルとからなり、ケーブル束の内周側始端をパルプモールド材を介して箱体の外に引き出すことを特徴とする。
【００１３】
また、突出部とパルプモールド材の間にスペースを確保するために前面側の突起を切り欠き、内板にはケーブル束の内周側始端を固定する通し穴を設け、開閉片にはケーブル束の外周側終端を固定する通し穴を設けたことを特徴とする。
【実施例１】
【００１４】
図１は、本発明であるケーブル梱包箱の斜視図であり、また、図２は、本発明であるケーブル梱包箱の正面図であり、また、図３は、本発明であるケーブル梱包箱の側面図である。
【００１５】
ケーブル梱包箱１は、箱体２と、内板３と、パルプモールド材４とからなり、箱体２内にパルプモールド材４付きの内板３を設置し、内部に収納したケーブル５をパルプモールド材４を介して外部に引き出す。
【００１６】
箱体２は、ダンボール等を箱状に成形した容器であり、上面と前面２ａ、前面２ａと下面、下面と後面、後面と上面が連設され、前面２ａと後面の左右側には外開閉片２ｃ、上面と下面の左右側には内開閉片２ｆが連設される。
【００１７】
箱体２の左右の側面は開閉可能であり、まず内開閉片２ｆを閉じ、その上に被せるように外開閉片２ｃを閉じることで、側面を塞ぐことができる。また、前面２ａの中央にはケーブル５を引き出すための円形の前穴２ｂを空ける。
【００１８】
内板３は、パルプモールド材４を箱体２の前穴２ｂの位置に固定するために設置するダンボール等の板であり、箱体２の前面２ａと同サイズにして、前穴２ｂと同じ位置に内穴３ａを空けた上で、前面２ａ裏側に当てる。
【００１９】
パルプモールド材４は、箱体２内に収納したケーブル５の先端を箱体２の前穴２ｂまで導くための円筒形の部材であり、古紙やパルプを溶解した後、金型を用いて中空の筒状に成形したものである。
【００２０】
図４は、本発明であるケーブル梱包箱における外開閉片を開いた状態を示す平面図であり、また、図５は、本発明であるケーブル梱包箱における内開閉片を開いた状態を示す平面図であり、また、図６は、本発明であるケーブル梱包箱におけるケーブルを出した状態を示す平面図である。
【００２１】
外開閉片２ｃは、箱体２の前面２ａ又は後面との接線で折り曲げて回動させることで箱体２の側面を開閉する。接線の向かい側には突起２ｄが設けられ、閉じる際に内開閉片２ｆの差込溝２ｇに差し込む。
【００２２】
突起２ｄは、半円形で外開閉片２ｃとの接線で折り曲げて回動させることができる。尚、突起２ｄの先端には嵌込溝２ｅが空けられ、内開閉片２ｆの差込溝２ｇに差し込んだ際に内開閉片２ｆの突起２ｉに噛み合う。
【００２３】
内開閉片２ｆは、箱体２の上面又は下面との接線で折り曲げて回動させることで箱体２の側面を開閉する。接線の向かい側には突起２ｉが設けられ、接線の隣辺にはケーブル５を通すことができる通し穴２ｈが空けられる。
【００２４】
突起２ｉは、半円に切欠き２ｋを設けた形状で、内開閉片２ｆとの接線で折り曲げて回動させることができる。尚、外開閉片２ｃの突起２ｄを差し込むために、内開閉片２ｆには差込溝２ｇが空けられ、突起２ｉには内開閉片２ｆの差込溝２ｇから続くように差込溝２ｊが空けられる。
【００２５】
図７は、本発明であるケーブル梱包箱の箱体における内開閉片を閉じた状態を示す斜視図であり、また、図８は、本発明であるケーブル梱包箱の箱体における外開閉片を閉じた状態を示す斜視図である。
【００２６】
突出部２ｌは、外開閉片２ｃの半円と内開閉片２ｆの略半円とを中央で十字状に組んだものであり、箱体２の両側面から内側に向けて中央が突出しており、ケーブル５の位置や配置を維持することができる。
【００２７】
切欠き２ｋは、箱体２内にパルプモールド材４を配置すると、突出部２ｌが邪魔になりケーブル５をパルプモールド材４に導く際に支障を来すため、パルプモールド材４を配置する前面２ａ側を切り取ったものである。
【００２８】
図９は、本発明であるケーブル梱包箱に収納するケーブルの斜視図である。ケーブル５は、ＬＡＮ用ケーブル等をコイル状に束ねたものである。箱体２内に収納する際は、環状に巻かれた中央の空きを箱体２の突出部２ｌに収める。
【００２９】
ケーブル５は、箱体２内に巻き入れる装置を用いて収納する。パルプモールド材４を避けるように巻いていくため、巻き終わり時にはパルプモールド材４が収める箇所に孔５ｃが形成される。
【００３０】
ケーブル５の始端５ａは内周側であり、パルプモールド材４内を通して、箱体２の前穴２ｂから出す。ケーブル５の終端５ｂは外周側であり、内開閉片２ｆの通し穴２ｈを利用して留めておく。
【００３１】
図１０は、本発明であるケーブル梱包箱の内板の斜視図であり、また、図１１は、本発明であるケーブル梱包箱の内板の正面図である。内板３は、パルプモールド材４を通す内穴３ａが中央に空き、ケーブル５を留めるための通し穴３ｂが任意に空けられる。
【００３２】
内板３の裏側から表側の方向に内穴３ａへパルプモールド材４を通過させ、フランジ４ｄで留める。パルプモールド材４が箱体２の内側を向くようにして、箱体２の前面２ａの裏側に内板３を配置する。
【００３３】
図１２は、本発明であるケーブル梱包箱のパルプモールド材の斜視図である。パルプモールド材４は、先端４ａから後端４ｂまで貫通孔４ｃが抜け、後端４ｂにおいて外周に沿って拡がるフランジ４ｄを有する。
【００３４】
貫通孔４ｃの後端４ｂ側には箱体２の前穴２ｂがあり、貫通孔４ｃの先端４ａ側から入ったケーブル５の始端５ａが前穴２ｂから出る。フランジ４ｄは、箱体２の前面２ａと内板３の間に挟むことでパルプモールド材４を固定するものである。
【００３５】
パルプモールド材４は、先端４ａから後端４ｂまで同じ径の筒状にすることでケーブル５を通りやすくしているが、先端４ａから後端４ｂに向かってテーパー状に広くしたり狭くすることも可能である。
【００３６】
図１３は、本発明であるケーブル梱包箱におけるケーブルを引き出す状況を示す断面図であり、また、図１４は、本発明であるケーブル梱包箱におけるケーブルを引き出した状態を示す斜視図である。
【００３７】
未使用時のケーブル梱包箱１においては、ケーブル５の始端５ａはパルプモールド材４の貫通孔４ｃを通すが、箱体２の前穴２ｂからは出さずに、箱体２の前面２ａと内板３の間を挟通させ、内板３の通し穴３ｂから出して留めておく。
【００３８】
使用時は、ケーブル５の始端５ａを内板３の通し穴３ｂから外し、箱体２の前面２ａと内板３の間から引き抜き、箱体２の前穴２ｂから出す。その上で、ケーブル５の始端５ａを引き抜いていく。
【符号の説明】
【００３９】
１        ケーブル梱包箱
２        箱体
２ａ      前面
２ｂ      前穴
２ｃ      外開閉片
２ｄ      突起
２ｅ      嵌込溝
２ｆ      内開閉片
２ｇ      差込溝
２ｈ      通し穴
２ｉ      突起
２ｊ      差込溝
２ｋ      切欠き
２ｌ      突出部
３        内板
３ａ      内穴
３ｂ      通し穴
４        パルプモールド材
４ａ      先端
４ｂ      後端
４ｃ      貫通孔
４ｄ      フランジ
５        ケーブル
５ａ      始端
５ｂ      終端
５ｃ      孔
【図１】
2013071802.tif 000003
【図２】
2013071802.tif 000004
【図３】
2013071802.tif 000005
【図４】
2013071802.tif 000006
【図５】
2013071802.tif 000007
【図６】
2013071802.tif 000008
【図７】
2013071802.tif 000009
【図８】
2013071802.tif 000010
【図９】
2013071802.tif 000011
【図１０】
2013071802.tif 000012
【図１１】
2013071802.tif 000013
【図１２】
2013071802.tif 000014
【図１３】
2013071802.tif 000015
【図１４】
2013071802.tif 000016